(57)【要約】【課題】蝶番ピンの抜け止め部材を着脱する際に工具を必要とせず、抜け止め部材を簡単に箱本体に着脱することができる電気機器収納用箱体の蝶番を提供する。【解決手段】電気機器収納用箱体１の蝶番４は、箱本体２の開口枠２ａに設けられる箱本体側蝶番５と、箱本体側蝶番５と対向して扉体３に設けられる扉体側蝶番６とに蝶番ピン７を一方端側から挿通させ、蝶番ピン７の他方端を箱本体２の開口枠２ａに着脱自在に取り付けた抜け止め部材８に当接させて抜け止めする。【選択図】図３
2010275699.tif 000002
【特許請求の範囲】
【請求項１】
箱本体の開口枠に設けられる箱本体側蝶番と、該箱本体側蝶番と対向して扉体に設けられる扉体側蝶番と、前記箱本体側蝶番と前記扉体側蝶番とに挿通される蝶番ピンとを備えて成る電気機器収納用箱体の蝶番において、前記蝶番ピンの他方端を前記箱本体の開口枠に着脱自在に取り付けた抜け止め部材に当接させて抜け止めすることを特徴とする電気機器収納用箱体の蝶番。
【請求項２】
前記箱本体の開口枠に前記抜け止め部材が嵌まる凹部を形成したことを特徴とする請求項１に記載の電気機器収納用箱体の蝶番。
【請求項３】
蝶番ピンの他方端をＬ字状に折曲形成してツマミ部を形成したことを特徴とする請求項１又は請求項２に記載の電気機器収納用箱体の蝶番。
【請求項４】
抜け止め部材は蝶番ピンのツマミ部が後方に向かないように回転するのを防止する回り止め部を形成したことを特徴とする請求項３に記載の電気機器収納用箱体の蝶番。
【請求項５】
前記蝶番ピンは略棒状に形成し、前記蝶番ピンの一方端を前記扉体の内側に当接させて抜け止めすることを特徴とする請求項１又は請求項２に記載の電気機器収納用箱体の蝶番。
【発明の詳細な説明】
【技術分野】
【０００１】
本発明は、電気機器収納用箱体の箱本体の開口部に扉体を蝶着するための蝶番に関する。
【背景技術】
【０００２】
従来、各種電気機器を収納する電気機器収納用箱体の箱本体の開口部に扉体を蝶着するための蝶番は、箱本体に設けられる箱本体側蝶番と、扉体に箱本体側蝶番と対向する位置に設けられる扉体側蝶番と、箱本体側蝶番に形成された挿通孔と扉体側蝶番に形成された挿通孔とに挿通される蝶番ピンと、蝶番ピンを抜け止めするための抜け止め部材とを備えて構成していた（例えば、特許文献１、特許文献２参照。）。
【先行技術文献】
【特許文献】
【０００３】
【特許文献１】特開２００５−２９４２９９号公報（図２）
【特許文献２】特開２００２−３３９６３５号公報（図２）
【発明の概要】
【発明が解決しようとする課題】
【０００４】
特許文献１に記載の蝶番は、蝶番ピンの形状が先端側となる一方端はテーパー状に形成され、他方端は拡径されて頭部が形成されている。そして、箱本体側蝶番の挿通孔と扉体側蝶番の挿通孔に蝶番ピンを一方端側から挿通し、箱本体側蝶番と扉体側蝶番を蝶着した蝶番ピンの頭部に当接するように抜け止め部材が扉体側蝶番に設けられていた。このとき、抜け止め部材は、扉体側蝶番にネジにより締め付け固定されていた。このため、抜け止め部材を着脱する際に工具を必要とし、抜け止め部材を容易に着脱することができなかった。また、扉体を箱本体から取り外すために箱本体側蝶番及び扉体側蝶番から蝶番ピンを引き抜く際、蝶番ピンの頭部に指がかかりづらいので容易に取り外すことができず、マイナスドライバーなどの工具でこじって蝶番ピンを引き抜かなければならないこともあり、作業性が悪いという問題があった。
【０００５】
また、特許文献２に記載の蝶番は、蝶番ピンの形状が先端側となる一方端はテーパー状に形成され、テーパー部より少し内側に溝が形成され、また、他方端は拡径されて頭部が形成されている。そして、箱本体側蝶番の挿通孔と扉体側蝶番の挿通孔に一方端側から挿通された蝶番ピンの溝にＯリングを嵌合させ、抜け止めするようになっていた。このため、蝶番ピンにＯリングが嵌合するための溝を形成しなければならず、コストがかかるという問題があった。また、この蝶番ピンも箱本体側蝶番及び扉体側蝶番から蝶番ピンを引き抜く際に頭部に指がかかりづらいので容易に取り外すことができず、マイナスドライバーなどの工具でこじって蝶番ピンを引き抜かなければならないこともあり、作業性が悪いという問題があった。
【課題を解決するための手段】
【０００６】
請求項１に記載の発明によれば、箱本体の開口枠に設けられる箱本体側蝶番と、箱本体側蝶番と対向して扉体に設けられる扉体側蝶番と、箱本体側蝶番と扉体側蝶番とに挿通される蝶番ピンとを備えて成る電気機器収納用箱体の蝶番において、蝶番ピンの他方端を箱本体の開口枠に着脱自在に取り付けた抜け止め部材に当接させて抜け止めすることを特徴とする。
【０００７】
請求項２に記載の発明によれば、請求項１に記載の電気機器収納用箱体の蝶番において、箱本体の開口枠に抜け止め部材が嵌まる凹部を形成したことを特徴とする。
【０００８】
請求項３に記載の発明によれば、請求項１又は請求項２に記載の電気機器収納用箱体の蝶番において、蝶番ピンの他方端をＬ字状に折曲形成してツマミ部を形成したことを特徴とする。
【０００９】
請求項４に記載の発明によれば、請求項３に記載の電気機器収納用箱体の蝶番において、抜け止め部材は蝶番ピンのツマミ部が後方に向かないように回転するのを防止する回り止め部を形成したことを特徴とする。
【００１０】
請求項５に記載の発明によれば、請求項１又は請求項２に記載の電気機器収納用箱体の蝶番において、蝶番ピンは略棒状に形成し、蝶番ピンの一方端を扉体の内側に当接させて抜け止めすることを特徴とする。
【発明の効果】
【００１１】
請求項１に記載の発明によれば、抜け止め部材を着脱する際に工具を必要とせず、抜け止め部材を簡単に箱本体に着脱することができるという効果がある。
【００１２】
請求項２に記載の発明によれば、請求項１に記載の発明の効果に加えて、抜け止め部材の取付位置の目印になり、また、取り付けられた抜け止め部材が蝶番ピンの挿通方向に移動するのを防止するという効果がある。
【００１３】
請求項３に記載の発明によれば、請求項１又は請求項２に記載の発明の効果に加えて、蝶番ピンに頭部や溝を形成しなくてもいいのでコストを低減することができ、また、蝶番ピンを指でつまみやすく、工具を使用することなく蝶番ピンを引き抜くことができ、蝶番ピンの挿抜作業性が向上するという効果がある。
【００１４】
請求項４に記載の発明によれば、請求項３に記載の発明の効果に加えて、扉体を開閉操作する際に蝶番ピンが回転してツマミ部が後方に向くのを防止し、蝶番ピンを抜く際にツマミ部をつまみやすくすることができるという効果がある。
【００１５】
請求項５に記載の発明によれば、請求項１又は請求項２に記載の発明の効果に加えて、蝶番ピンに頭部や溝を形成しなくてもいいのでコストを低減することができるという効果がある。
【図面の簡単な説明】
【００１６】
【図１】本発明の実施例１に係る電気機器収納用箱体の蝶番部分を示す分解斜視図である。
【図２】蝶番の分解斜視図である。
【図３】電気機器収納用箱体の部分斜視図である。
【図４】本発明の実施例２に係る電気機器収納用箱体の蝶番部分を示す分解斜視図である。
【図５】蝶番の分解斜視図である。
【図６】電気機器収納用箱体の部分斜視図である。
【発明を実施するための形態】
【００１７】
電気機器収納用箱体の蝶番は、箱本体の開口枠に設けられる箱本体側蝶番と、箱本体側蝶番と対向して扉体に設けられる扉体側蝶番とに蝶番ピンを一方端側から挿通させ、蝶番ピンの他方端を箱本体の開口枠に着脱自在に取り付けた抜け止め部材に当接させて抜け止めする。
【実施例１】
【００１８】
本発明に係る電気機器収納用箱体の蝶番の実施例１を図１〜図３の添付図面に基づいて説明する。
【００１９】
電気機器収納用箱体１は、前面を開口した箱本体２と、箱本体２の開口部を開閉自在に閉塞する扉体３と、箱本体２に扉体３を蝶着する蝶番４とを備えて構成している。
【００２０】
蝶番４は箱本体２の開口枠２ａの左右一方の少なくとも上下２箇所に設けられる箱本体側蝶番５と、扉体３の内側の箱本体側蝶番５と対向する位置に設けられる扉体側蝶番６と、箱本体側蝶番５と扉体側蝶番６とを連結する蝶番ピン７と、蝶番ピン７の抜け止めのための抜け止め部材８とで構成している。
【００２１】
箱本体側蝶番５は蝶番ピン７が挿通する挿通孔５ｂを形成した２つの筒状部５ａと、箱本体２に固定するための取付板部５ｃとで成り、取付板部５ｃを箱本体２の開口枠２ａの外側に当接させ、ネジ９で固定して取り付けられている。
【００２２】
扉体側蝶番６は箱本体側蝶番５の２つの筒状部５ａの外端面と対向する位置に筒状部５ａの端面と平行に設けられ、蝶番ピン７が挿通する挿通孔６ｂを形成した２つの板状部６ａと、板状部６ａを連結して扉体３に溶接により固定される固定板部６ｃと、板状部６ａを外側に折曲して扉体３の内側に溶接により固定される脚板部６ｄとで成っている。
【００２３】
箱本体側蝶番５と扉体側蝶番６に挿通される蝶番ピン７は、先端側となる一方端が挿通孔５ｂ，６ｂに挿通させやすいようにテーパー状に形成され、他方端がＬ字状に折曲されてツマミ部７ａが形成されている。蝶番ピン７をＬ字状にしてツマミ部７ａを形成することで指でつまみやすくなるので工具を使用することなく容易に蝶番ピン７の抜き差しができるようになる。
【００２４】
蝶番ピン７を抜け止めするための抜け止め部材８は、箱本体２の開口枠２ａの端縁に嵌め込まれる取付溝部８ａと、開口枠２ａの折曲部に係止する係止部８ｂと、蝶番ピン７のツマミ部７ａが当接して抜け止めをする抜け止め部８ｃと、抜け止め部８ｃから幅方向に延設されて蝶番ピン７のツマミ部７ａが後方に向かないように回転するのを防止する回り止め部８ｄとを有して形成されている。
【００２５】
抜け止め部材８が取り付けられる箱本体２の開口枠２ａの端縁には凹部２ｂが形成されている。抜け止め部材８は凹部２ｂに取付溝部８ａを嵌めて取り付けることで蝶番ピン７の挿通方向に抜け止め部材８がずれるのを防止するようになっている。
【００２６】
このように構成された蝶番４は、箱本体側蝶番５の筒状部５ａの両端を挟むように扉体側蝶番６の板状部６ａを嵌め合わせ、扉体側蝶番６の一方の板状部６ａの挿通孔６ｂ、箱本体側蝶番５の筒状部５ａの挿通孔５ｂ、扉体側蝶番６の他方の板状部６ａの挿通孔６ｂと順に蝶番ピン７を一方端側から挿通させることで箱本体２に扉体３を蝶着する。そして、箱本体２の開口枠２ａの凹部２ｂに抜け止め部材８の取付溝部８ａを嵌め、係止部８ｂを開口枠２ａの折曲部に係止させて取り付け、蝶番ピン７を抜け止めをする。
【００２７】
扉体３を箱本体２から取り外すには抜け止め部材８を取り外し、箱本体側蝶番５と扉体側蝶番６から蝶番ピン７を引き抜くことにより行う。蝶番ピン７はツマミ部７ａを指でつまめるので、工具を使用することなく蝶番ピン７を引き抜くことができ、作業性が良い。また、蝶番ピン７は扉体３を開閉操作する際に回転しようとするが、ツマミ部７ａが抜け止め部材８の回り止め部８ｄに当接して蝶番ピン７が回転するのを防止している。このため、ツマミ部７ａが後方に向かず、常に前方に向いているので蝶番ピン７を抜く際にツマミ部７ａをつまみやすい。
【００２８】
尚、本実施例において、箱本体側蝶番は筒状に形成し、扉体側蝶番を板状に形成したが、これに限定するものではなく、その他、蝶番の形状・構造についても本発明の趣旨を逸脱しない範囲で適宜に変更して実施することが可能である。
【実施例２】
【００２９】
本発明に係る電気機器収納用箱体の蝶番の実施例２を図４〜図６の添付図面に基づいて説明する。
【００３０】
電気機器収納用箱体２１は、前面を開口した箱本体２２と、主板部２３ａと主板部２３ａの４辺を内側に折曲した側板部２３ｂとで形成して箱本体２の開口部を開閉自在に閉塞する扉体２３と、箱本体２２に扉体２３を蝶着する蝶番２４とを備えて構成している。
【００３１】
蝶番２４は箱本体２２の開口枠２２ａの左右一方の上下２箇所に設けられる箱本体側蝶番２５と、扉体２３の内側の箱本体側蝶番２５と対向する位置に設けられる扉体側蝶番２６と、箱本体側蝶番２５と扉体側蝶番２６とを連結する蝶番ピン２７と、蝶番ピン２７の抜け止めのための抜け止め部材２８とで構成している。
【００３２】
箱本体側蝶番２５は蝶番ピン２７が挿通する挿通孔２５ｂを形成した２つの筒状部２５ａと、箱本体２２に固定するための取付板部２５ｃとで成り、取付板部２５ｃを箱本体２２の開口枠２２ａの外側に当接させ、ネジ２９で固定して取り付けられている。
【００３３】
扉体側蝶番２６は箱本体側蝶番２５の２つの筒状部２５ａの外端面と対向する位置に筒状部２５ａの端面と平行に設けられ、蝶番ピン２７が挿通する挿通孔２６ｂを形成した２つの板状部２６ａと、板状部２６ａを連結して扉体２３に溶接により固定される固定板部２６ｃと、板状部２６ａを外側に折曲して扉体２３の内側に溶接により固定される脚板部２６ｄとで成っている。
【００３４】
箱本体側蝶番２５と扉体側蝶番２６に挿通される蝶番ピン２７は、先端側となる一方端が挿通孔２５ｂ，２６ｂに挿通させやすいようにテーパー状に形成されている。蝶番ピン２７は頭部や溝を形成しないので安価に製作することができる。
【００３５】
蝶番ピン２７を抜け止めするための抜け止め部材２８は、箱本体２２の開口枠２２ａの端縁に嵌め込まれる取付溝部２８ａと、開口枠２２ａの折曲部に係止する係止部２８ｂと、蝶番ピン２７の他方端が当接して抜け止めをする抜け止め部２８ｃとを有して形成されている。
【００３６】
抜け止め部材２８が取り付けられる箱本体２２の開口枠２２ａの端縁には箱本体側蝶番２５より内側の位置に凹部２２ｂが形成されている。抜け止め部材２８は凹部２２ｂに取付溝部２８ａを嵌めて取り付けることで蝶番ピン２７の挿通方向に抜け止め部材２８がずれるのを防止するようになっている。
【００３７】
このように構成された蝶番２４は、箱本体側蝶番２５の筒状部２５ａの両端を挟むように扉体側蝶番２６の板状部２６ａを嵌め合わせ、扉体側蝶番２６の内側の板状部２６ａの挿通孔２６ｂ、箱本体側蝶番２５の筒状部２５ａの挿通孔２５ｂ、扉体側蝶番２６の外側の板状部２６ａの挿通孔２６ｂと順に蝶番ピン２７を一方端側から挿通させることで箱本体２２に扉体２３を蝶着する。
【００３８】
そして、箱本体２２の開口枠２２ａの凹部２２ｂに抜け止め部材２８の取付溝部２８ａを嵌め、係止部２８ｂを開口枠２２ａの折曲部に係止させて取り付け、蝶番ピン２７の他方端が抜け止め部２８ｃに当接するようにして抜け止めをする。また、蝶番ピン２７の一方端は扉体２３の側板部２３ｂに当接させることで抜け止めされる。
【００３９】
扉体２３を箱本体２２から取り外すには抜け止め部材２８を取り外し、箱本体側蝶番２５と扉体側蝶番２６から蝶番ピン２７を引き抜くことにより行う。
【００４０】
尚、本実施例において、箱本体側蝶番は筒状に形成し、扉体側蝶番を板状に形成したが、これに限定するものではなく、その他、蝶番の形状・構造についても本発明の趣旨を逸脱しない範囲で適宜に変更して実施することが可能である。
【符号の説明】
【００４１】
１    電気機器収納用箱体
２    箱本体
２ａ    開口枠
２ｂ    凹部
３    扉体
３ａ    主板部
３ｂ    側板部
４    蝶番
５    箱本体側蝶番
５ａ    筒状部
５ｂ    挿通孔
５ｃ    取付板部
６    扉体側蝶番
６ａ    板状部
６ｂ    挿通孔
６ｃ    固定板部
６ｄ    脚板部
７    蝶番ピン
７ａ    ツマミ部
８    抜け止め部材
８ａ    取付溝部
８ｂ    係止部
８ｃ    抜け止め部
８ｄ    回り止め部
９    ネジ
【図１】
2010275699.tif 000003
【図２】
2010275699.tif 000004
【図３】
2010275699.tif 000005
【図４】
2010275699.tif 000006
【図５】
2010275699.tif 000007
【図６】
2010275699.tif 000008